(57)【特許請求の範囲】
【請求項１】
複数の脚体と、
該脚体の上部間に架設される天板とを備えたデスク装置であって、
前記脚体は、一方向に延在する什器用構造材で構成され、
前記什器用構造材は、
前記一方向に延在し、外周方向の一部に前記一方向に連続して開口する開口溝を有する第一杆状部材と、
該第一杆状部材の内部に、前記開口溝に沿って配置される第二杆状部材とを備え、
前記開口溝内にて前記第一杆状部材と前記第二杆状部材とが溶接されるとともに、該開口溝内に該開口溝の外縁部を閉塞するようにカバー部材が嵌着されていることを特徴とするデスク装置。
【請求項２】
請求項１に記載のデスク装置において、
前記什器用構造材は、
前記外周方向の一部に前記開口溝から位置をずらせて前記一方向に延在する略平滑または滑らかに湾曲するガイド面が形成され、
前記カバー部材の一部が前記ガイド面を覆うように延出して形成されていることを特徴とするデスク装置。
【発明の詳細な説明】
【技術分野】
【０００１】
本発明は、デスク装置に関するものである。
【背景技術】
【０００２】
一般に、会社や事務所等で使用される執務者用のデスクとしては、床面上に設けられた脚部と、該脚部の上に設けられ作業面として使用される天板とを備えるものが広く用いられている。
このような構成のデスクでは、天板及び天板に載置した物品の荷重を脚部で支持するため、安定的な構造として該脚部を強固にすることが望まれている。
【０００３】
ここで、脚部を強固にする技術としては、該脚部を平面視して二重構造とするものが知られている。すなわち、筒状部材であって上下方向に延在する外側部材と、該外側部材の内方に設けられ筒状部材であって上下方向に延在する内側部材とを備える構成のものである（下記特許文献１参照）。なお、外側部材と内側部材とは、外面からスポット溶接により上下方向に複数箇所固定されている。
【先行技術文献】
【特許文献】
【０００４】
【特許文献１】特開平１１−１２７９６１号公報
【発明の概要】
【発明が解決しようとする課題】
【０００５】
しかしながら、上記の特許文献１に記載の二重構造の脚部において、外側部材と内側部材との固定方法はスポット溶接による点接合であるため、構造体として脚部の強度が十分に確保できないという問題点があった。
また、該スポット溶接は外側部材の外面から行われるため、溶接箇所が外観視され、意匠的に見栄えが悪いという問題点もあった。
【０００６】
本発明は、上記事情に鑑みてなされたものであり、構造材としての強度を確保しつつ、外観を良好とするデスク装置を提供するものである。
【課題を解決するための手段】
【０００７】
上記目的を達成するために、本発明は以下の手段を採用している。
すなわち、本発明に係るデスク装置は、複数の脚体と、該脚体の上部間に架設される天板とを備えたデスク装置であって、前記脚体は、一方向に延在する什器用構造材で構成され、前記什器用構造材は、前記一方向に延在し、外周方向の一部に前記一方向に連続して開口する開口溝を有する第一杆状部材と、該第一杆状部材の内部に、前記開口溝に沿って配置される第二杆状部材とを備え、前記開口溝内にて前記第一杆状部材と前記第二杆状部材とが溶接されるとともに、該開口溝内に該開口溝の外縁部を閉塞するようにカバー部材が嵌着されていることを特徴とする。
【０００８】
このようなデスク装置では、第一杆状部材とその内部に配される第二杆状部材とにより構成されるため、構造材としての強度を確保することができる。また、該第一杆状部材と第二杆状部材とは第一杆状部材の開口溝部分を溶接することにより固定されるため、十分な溶接長さを確保でき溶接強度を強固とすることができる。
また、上記の溶接箇所はカバー部材により閉塞され外観上には表れないため、外観を良好とすることができる。
また、上記の什器用構造材を備えるため、構造材としての強度を確保しつつ、外観を良好とすることができる。
【００１１】
また、本発明に係るデスク装置では、前記什器用構造材は、前記外周方向の一部に前記開口溝から位置をずらせて前記一方向に延在する略平滑または滑らかに湾曲するガイド面が形成され、前記カバー部材の一部が前記ガイド面を覆うように延出して形成されていることを特徴とする。
【００１２】
この構成では、ガイド面により、収納等をガイド面に沿って挿入配置することができるとともに、該ガイド面と当該収納等が衝突した場合でも第一杆状部材が損傷することを防止し、第一杆状部材の美観を維持することができる。
【発明の効果】
【００１３】
本発明に係るデスク装置によれば、構造材としての強度を確保しつつ、外観を良好とすることができる。
【図面の簡単な説明】
【００１４】
【図１】本発明の一実施形態に係るデスク装置を備えたデスクシステムの概略全体図である。
【図２】本発明の第一実施形態に係るデスク装置の脚体の概略斜視図である。
【図３】本発明の第一実施形態に係るデスク装置の脚体からカバー部材を分離した分解斜視図である。
【図４】本発明の第一実施形態に係る（ａ）脚体の断面図、（ｂ）脚体の溶接部分の断面図、（ｃ）カバー部材の断面図である。
【図５】本発明の第二実施形態に係る脚体の断面図である。
【発明を実施するための形態】
【００１５】
（第一実施形態）
以下、本発明の一実施形態に係るデスク装置を備えたデスクシステムについて説明する。
図１は、デスク装置２を備えたデスクシステム１の概略全体図である。
デスクシステム１は、図１に示すように、上面を作業面とされて幅広なデスク装置２と、該デスク装置２の前方に配設された椅子８０と、デスク装置２の下方に配設されたデスクサイド什器１４０とを備えている。
なお、図１に示すように、デスク装置２の左右方向をＡ−Ｂ方向、デスク装置２の前後方向をＣ−Ｄ方向、デスク装置２の上下方向をＥ−Ｆ方向（一方向）とする。
【００１６】
図１及び図２に示すように、デスク装置２は、床面Ｓ上にＡ−Ｂ方向に離間して設置される複数の脚体１０と、該脚体１０の上部に設けられた補強杆６０と、脚体１０の上部同士を連結する一対の連結部材７０と、該脚体１０の上部間に架設される一対の天板７１と、一対の連結部材７０及び一対の天板７１間に配設された配線部９０とを備えている。
【００１７】
脚体１０は、門型に構成されデスク装置２のＡ−Ｂ方向両端部に配設された一対の第一脚体１１と、Ｔ字状に構成されデスク装置２のＡ−Ｂ方向途中部分に配設された一対の第二脚体（不図示。以下同じ。）とを有している。
【００１８】
図２に示すように、第一脚体１１は、床面Ｓ上から立設されるとともにＣ−Ｄ方向に離間して配設された一対の第一脚本体（什器用構造材）２１と、該一対の第一脚本体２１の上部を連結する第一連結体２２とを有している。第一脚本体２１の上端は、第一連結体２２の端部及び補強杆６０の端部とともに第一角部材２３で連結固定されている。
【００１９】
図３は、図１に示す第一脚本体２１のうちＡ−Ｂ方向のＢ側かつＣ−Ｄ方向のＤ側に位置する第一脚本体２１Ｐの分解斜視図であり、図４（ａ）は、該第一脚本体２１ＰをＥ−Ｆ方向に直交する方向で切断した断面図である。図３及び図４（ａ）に示すように、第一脚本体２１Ｐは、Ｅ−Ｆ方向に延在し、外周方向の一部に開口溝４１を有する第一杆状部材３１と、該第一杆状部材３１の内部に配置される第二杆状部材３２と、開口溝４１を閉塞するカバー部材５０とを有している。
本実施形態では、第一杆状部材３１及び第二杆状部材３２は鋼板を加工して成形したものであり、カバー部材５０はＡＢＳ樹脂等の樹脂を加工して成形してもので構成されている。
【００２０】
図４に示すように、第一杆状部材３１は、Ｃ−Ｄ方向に延在する平滑面状の第一板状部１０１と、該第一板状部１０１のＣ側の端部から湾曲する第一湾曲部１２１を経てＡ−Ｂ方向に延在する第二板状部１０２と、該第二板状部１０２のＡ側の端部から第二湾曲部１２２を経て第一板状部１０１と平行にＣ−Ｄ方向に延出する第三板状部１０３と、該第三板状部１０３のＤ側の端部から第三湾曲部１２３を経て第二板状部１０２と平行にＡ−Ｂ方向に延出する第四板状部１０４とを有している。また、第一杆状部材３１は、第一板状部１０１のＤ側の端部から第四湾曲部１２４を経て第二板状部１０２と平行にＣ−Ｄ方向に延出する第五板状部１０５と、該第五板状部１０５のＡ側の端部から第五湾曲部１２５を経てＡ−Ｂ方向のＡ方向に向かうにしたがって第一板状部１０１に対し傾斜するようにＣ−Ｄ方向のＣ方向に向かって延出する略平滑な第一傾斜板部４２と、該第一傾斜板部４２のＡ側の端部から第六湾曲部１２６を経て第一板状部１０１と平行にＣ−Ｄ方向に延出する第六板状部１０６と、該第六板状部１０６のＣ側の端部から第七湾曲部１２７を経て第五板状部１０５と平行にＡ−Ｂ方向に延出する第七板状部１０７とを有している。
ここで、第四板状部１０４及び第七板状部１０７により、Ｅ−Ｆ方向に連続して開口する開口溝４１が形成され、第三板状部１０３及び第六板状部１０６は開口溝４１の外縁部４３として構成されている。また、第一傾斜板部４２の外面がガイド面４２Ａとして構成されている。
【００２１】
第二杆状部材３２は、第一杆状部材３１の開口溝４１の底面に配設されＣ−Ｄ方向に延在する第八板状部１０８と、該第八板状部１０８のＣ側の端部から第八湾曲部１２８を経て第二板状部１０２に内接してＡ−Ｂ方向に延出する第九板状部１０９と、該第九板状部１０９のＢ側の端部から第九湾曲部１２９を経て第一板状部１０１に内接してＣ−Ｄ方向に延出する第十板状部１１０とを有している。また、第二杆状部材３２は、第八板状部１０８のＤ側の端部から第十湾曲部１３０を経てＡ−Ｂ方向のＢ方向に向かうにしたがってＣ−Ｄ方向のＤ方向に向かうように第一傾斜板部４２に内接して延出する第二傾斜板部４９と、該第二傾斜板部４９のＢ側の端部から第十一湾曲部１３１を経て第五板状部１０５に内接してＡ−Ｂ方向に延出する第十一板状部１１１と、該第十一板状部１１１のＢ側の端部から第十二湾曲部１３２を経て第一板状部１０１に内接してＣ−Ｄ方向に延出する第十二板状部１１２とを有している。
図４（ｂ）に示すように、第一杆状部材３１と第二杆状部材３２とは、第一杆状部材３１の第四板状部１０４の端部と第二杆状部材３２の第八板状部１０８との当接する箇所並びにその近傍及び第七板状部１０７の端部と第八板状部１０８との当接する箇所並びにその近傍においてアーク溶接Ｑにて固定されている。図３に示すように、アーク溶接ＱはＥ−Ｆ方向に間隔を有して例えば８箇所設けられている。
図３及び図４（ａ）に示すように、第八板状部１０８は、第一杆状部材３１の開口溝４１に配置される部分において、外方に突出するように凸部４４が上下方向に間隔を有して３箇所形成されている。
図４（ａ）に示すように、凸部４４には板厚方向に貫通するネジ孔４５が設けられ、該ネジ孔４５にカバー部材５０取付用の段付ネジ４６が段部４７を外方に突出させた状態で螺合されている。
【００２２】
カバー部材５０は、図３に示すようにＥ−Ｆ方向に延在し、図４（ａ）及び（ｃ）に示すように第一杆状部材３１の第三板状部１０３から第六板状部１０６に沿って外面を形成するカバー本体５１と、該カバー本体５１の内面側に設けられ段付ネジ４６の頭部４８と第二杆状部材３２の第八板状部１０８との間に配設され該頭部４８と係合する係合部５２とを有している。
カバー本体５１は、第三板状部１０３の端部の第二湾曲部１２２から第六板状部１０６の端部の第六湾曲部１２６にわたって延在している。
係合部５２は、頭部４８と第八板状部１０８との間に配設され、段部４７から突出する頭部４８の下面に係合されている。
このようにして、カバー部材５０は、開口溝４１の外縁部４３を閉塞するように、嵌着されている。
なお、他の第一脚本体２１も第一脚本体２１Ｐと同一構成であるため、その説明を省略する。
【００２３】
図２に示すように、補強杆６０は、天板７１（図１参照。以下同じ。）の下面を支持するとともに、第一角部材２３に固定され斜材の第一補強部６１と、該第一補強部６１の端部から第一脚体１１の第一連結体２２に平行に延在する第二補強部６２と、該第二補強部６２の端部から第一連結体２２に向かって延在する第三補強部６３とを有している。
【００２４】
連結部材７０は、Ａ−Ｂ方向に延在する長尺状に形成されてＣ-Ｄ方向に離間して配設された一対構成のものであり、天板７１の下面を支持するともに、平面視して天板７１のＣ-Ｄ方向略中央部に配設されている。
【００２５】
図１に示すように、天板７１は、上面が床面Ｓと平行な作業面とされ、平面視して略矩形状に形成され、Ｃ-Ｄ方向に離間して配設された一対構成のものである。
【００２６】
図１及び図２に示すように、配線部９０は、一対の連結部材７０及び一対の天板７１の離間箇所を連通する配線挿通空間９１と、該配線挿通空間９１に配設される配線受け９２とを有している。
【００２７】
図１に示すように、椅子８０は、床面Ｓ上に設置され移動可能とされた椅子用キャスター８１が設けられた椅子用脚部８２と、該椅子用脚部８２の上部に設けられ着座可能な座部８３と、該座部８３の端部より立設する背もたれ部８４と、座部８３の側方に配設された肘掛部８５とを有している。
また、椅子８０は、デスク装置２のＣ方向側及びＤ方向側に、それぞれ３個ずつ計６個配設されている。
このようなデスク装置２及び椅子８０では、デスク装置２のＣ側、Ｄ側にそれぞれ３人の執務者をＡ−Ｂ方向に所定の間隔を有して椅子８０に着座可能とし、天板７１を共有して執務可能としている。
【００２８】
デスクサイド什器１４０は、床面Ｓ上に載置された箱状のベース体１４１と、該ベース体１４１の上方に載置され物品の収容可能な箱状の上部収納体１４２と、該ベース体１４１の上方であって上部収納体１４２と隣接載置され着座可能な腰掛部１４３とを備えている。
【００２９】
このように構成されたデスク装置２の脚体１０に本発明の構造を用いれば、第一杆状部材３１とその内方に配される第二杆状部材３２の二重構造であるため、構造材としての強度を確保することができる。
また、第一杆状部材３１と第二杆状部材３２とは、第一杆状部材３１の開口溝４１において、Ｅ−Ｆ方向にわたって８箇所アーク溶接Ｑにて固定されている。また、第四板状部１０４及び第七板状部１０７と第八板状部１０８との当接する箇所及びその近傍部分が溶接されるため、アーク溶接Ｑののど厚を十分に確保できる。よって、十分な溶接長さ及びのど厚を確保することができるため、第一杆状部材３１と第二杆状部材３２とを強固に固定することができる。
【００３０】
また、上記の溶接箇所はカバー部材５０により閉塞され外観上には表れないため、外観を良好とすることができる。
【００３１】
また、図１に示すように、第一杆状部材３１のガイド面４２ＡはＣ−Ｄ方向の中央側に向かうにしたがって、Ａ−Ｂ方向の中央側に向かうように傾斜して形成されているため、デスクサイド什器１４０をガイド面４２Ａに沿ってデスク装置２の天板７１の下方に円滑に挿入配置することができる。
【００３２】
（第二実施形態）
以下、本発明の第二実施形態に係るデスク装置２について、図５を用いて説明する。
この実施形態において、前述した実施形態で用いた部材と共通の部材には同一の符号を付して、その説明を省略する。
【００３３】
第一実施形態におけるカバー部材５０にあっては、カバー本体５１が第三板状部１０３の端部の第二湾曲部１２２から第六板状部１０６の端部の第六湾曲部１２６にわたって延在している。一方、本実施形態におけるカバー本体２５１は第三板状部３０３の端部の第二湾曲部３２２から第六板状部３０６、第一傾斜板部２４２に沿って、第五板状部３０５のＡ−Ｂ方向の途中部分まで延在している。
【００３４】
すなわち、カバー本体２５１は、第三板状部３０３の第二湾曲部３２２から第一杆状部材２３１の開口溝２４１を閉塞するとともに、第一傾斜板部２４２のガイド面２４２Ａを覆うようにして延出して形成されている。
【００３５】
このように構成されたデスク装置２０２の脚体に本発明の構造を用いれば、カバー部材２５０のカバー本体２５１は樹脂から構成されるとともに、脚体２１０のＡ−Ｂ方向の中央側かつＣ−Ｄ方向の端部側の外面に沿って設けられている。よって、デスクサイド什器１４０をデスク装置２の天板７１の下方に挿入配置する際に、該デスクサイド什器１４０と脚体２１０とが衝突した場合でも、カバー本体２５１により第一杆状部材２３１が損傷することを防止し、第一杆状部材２３１の美観を維持することができる。
【００３６】
また、上述した実施の形態において示した動作手順、あるいは各構成部材の諸形状や組み合わせ等は一例であって、本発明の主旨から逸脱しない範囲において設計要求等に基づき種々変更可能である。
【００３７】
本実施形態では、ガイド面４２Ａ，２４２Ａは平滑な面として形成されているが、例えば外方に滑らかに湾曲するように形成されていてもよい。
【００３８】
また、本実施形態では、第一脚本体２１を什器用構造材で構成しているが、例えば、第一脚体１１の第一連結体２２や、第二脚体を構成する床面Ｓから立設する立設部材、該立設部材の上端から天板７１の下面に沿って延在する部材等の構造材を什器用構造材で構成することとしても構わない。
【符号の説明】
【００３９】
２，２０２…デスク装置
１０，２１０…脚体
２１，２１Ｐ…第一脚本体（什器用構造材）
３１，２３１…第一杆状部材
３２…第二杆状部材
４１，２４１…開口溝
４２Ａ，２４２Ａ…ガイド面
４３…外縁部
５０，２５０…カバー部材
７１…天板
Ｅ−Ｆ方向…一方向
Ｑ…アーク溶接（溶接）
Ｓ…床面
【図１】
0005934494.tif 000002
【図２】
0005934494.tif 000003
【図３】
0005934494.tif 000004
【図４】
0005934494.tif 000005
【図５】
0005934494.tif 000006